(57)【要約】      （修正有）【課題】脚支柱と机天板と横梁とを連結体を介して強固に固定して剛性を高める。【解決手段】脚支柱は、断面中空状の筒部を有し、連結体４の基部ブロック４１には、横梁５ａの端部を連結する水平アーム部が一体的に形成され、基部ブロック４１には、筒部に対してその上端面側からボルト４５、ビス４６にて固定するための上部支持部４２と、脚支柱の外側面から横ボルト５２にて固定するための側部支持部４３とが一体的に備えられている。ボルト４５、ビス４６は脚支柱のビスポケット３４、３５に上から締着し、側部支持部４３と脚支柱内に挿入した補強部材５４とを横ボルト５２にて締着する。【選択図】図７
2007089872.tif 000002
【特許請求の範囲】
【請求項１】
机天板と、この机天板を支持する横梁及び複数の脚支柱と、この各脚支柱の上面と机天板と前記横梁とを連結するための連結体とが備えられた机において、
前記各脚支柱は、断面中空状の筒部を有し、
前記連結体の基部ブロックには、前記横梁の端部を連結する水平アーム部が一体的に形成され、
前記基部ブロックには、前記筒部に対してその上端面側から止着具にて固定するための上部支持部と、前記各脚支柱の外側面から止着具にて固定するための側部支持部とが一体的に備えられていることを特徴とする机。
【請求項２】
前記各脚支柱の筒部には、前記各脚支柱の上端面からの前記止着具を係合するための係合突条部が一体的に形成され、
前記筒部に対してその縦軸線方向に補強部材を挿入し、この補強部材と前記側部支持部とを横方向の止着具にて挟み付け係止したことを特徴とする請求項１に記載の机。
【請求項３】
前記基部ブロックには、前記筒部に対してその上端面側から嵌合する位置決めブロックが一体的に突出形成されていることを特徴とする請求項１または２に記載の机。
【請求項４】
前記連結体の基部ブロックには、机天板の下面に止着具にて固定するための補助水平アーム部が一体的に形成されていることを特徴とを特徴とする請求項１乃至３のいずれかに記載の机。
【請求項５】
前記側部支持部と脚支柱との間にスペーサ体を介挿させたことを特徴とする請求項１乃至４のいずれかに記載の机。
【発明の詳細な説明】
【技術分野】
【０００１】
本発明は、筆記又はコンピュータ操作等のような各種のデスクワークを行う事務等に使用される机の構造に関するものである。
【背景技術】
【０００２】
従来から、この種の机の構造は、例えば、特許文献１に開示されているように、机天板の下面のうち四隅を、４本の脚支柱の各上端面に取付けるコーナブロックを介して支持すると共に、各コーナブロックには平面視で９０度方向に延びる水平挿入杆を一体的に形成し、この水平挿入杆にアルミ押出材からなる横方向に延びる横梁の端部を挿入して後、止着具（ボルト）にて水平挿入杆と横梁とを固定し、この横梁側から机天板の下面に止着具（ボルト）を介して固定することが開示されている。
【０００３】
その場合、亜鉛ダイカスト製のコーナブロックには、アルミ押出材からなる脚支柱の中空状の筒に嵌まる鉛直挿入杆が一体的に設けられており、横方向の止着具（ボルト）にて脚支柱の側壁と鉛直挿入杆とをネジ止めすることで、コーナブロックを抜け不能に固定するものである。
【特許文献１】特公平０７−４９０１２号公報
【発明の開示】
【発明が解決しようとする課題】
【０００４】
しかしながら、前記特許文献１に開示の机では、脚支柱の上端面とコーナブロックとを垂直のネジで固定していないから、机天板に水平荷重等の側方荷重が作用したとき、机天板の下面と脚支柱の上端面との間が開くように脚支柱の上端が撓み易くなり、その側方強度に対する抵抗力（コーナブロックと脚支柱との固定強度）が弱いという問題があった。
【０００５】
本発明は、上記の従来の問題を解消することを技術的課題とするものである。
【課題を解決するための手段】
【０００６】
上記の技術的課題を達成するため、請求項１に記載の発明は、机天板と、この机天板を支持する横梁及び複数の脚支柱と、この各脚支柱の上面と机天板と前記横梁とを連結するための連結体とが備えられた机において、前記各脚支柱は、断面中空状の筒部を有し、前記連結体の基部ブロックには、前記横梁の端部を連結する水平アーム部が一体的に形成され、前記基部ブロックには、前記筒部に対してその上端面側から止着具にて固定するための上部支持部と、前記各脚支柱の外側面から止着具にて固定するための側部支持部とが一体的に備えられているものである。
【０００７】
また、請求項２に記載の発明は、請求項１に記載の机において、前記各脚支柱の筒部には、前記各脚支柱の上端面からの前記止着具を係合するための係合突条部が一体的に形成され、前記筒部に対してその縦軸線方向に補強部材を挿入し、この補強部材と前記側部支持部とを横方向の止着具にて挟み付け係止したものである。
【０００８】
請求項３に記載の発明は、請求項２に記載の机において、前記基部ブロックには、前記筒部に対してその上端面側から嵌合する位置決めブロックが一体的に突出形成されているものである。
【０００９】
請求項４に記載の発明は、請求項１乃至３のいずれかに記載の机において、前記連結体の基部ブロックには、机天板の下面に止着具にて固定するための補助水平アーム部が一体的に形成されているものである。
【００１０】
請求項５に記載の発明は、請求項１乃至４のいずれかに記載の机において、前記側部支持部と脚支柱との間にスペーサ体を介挿させたものである。
【発明の効果】
【００１１】
以上のように、請求項１の発明によれば、机天板を支持する横梁及び複数の脚支柱と、この各脚支柱の上面と机天板と前記横梁とを連結するための連結体とが備えられた机において、各脚支柱は、断面中空状の筒部を有し、前記連結体の基部ブロックには、前記横梁の端部を連結する水平アーム部が一体的に形成され、前記基部ブロックには、前記筒部に対してその上端面側から止着具にて固定するための上部支持部と、前記各脚支柱の外側面から止着具にて固定するための側部支持部とが一体的に備えられているものであるから、脚支柱の上端部に連結体を縦横の複数の止着具を介して固定することになるので、従来の取付構造に比べて、固定（取付）強度が大幅に向上するという効果を奏する。
【００１２】
また、請求項２に記載の発明によれば、前記各脚支柱の筒部には、前記各脚支柱の上端面からの前記止着具を係合するための係合突条部が一体的に形成されているので、前記止着具にて上部支持部を脚支柱の上端面に直接強固に固定することができ、さらに、前記筒部に対してその縦軸線方向に補強部材を挿入し、この補強部材と前記側部支持部とを横方向の止着具にて挟み付け係止したものであるので、前記側部支持部と脚支柱の側面とを直接止着具にて締着するのに比べて、取付強度が大幅に向上し、机の剛性が高まるという効果を奏する。
【００１３】
請求項３に記載の発明によれば、前記基部ブロックには、前記筒部に対してその上端面側から嵌合する位置決めブロックが一体的に突出形成されているものであるので、連結体を脚支柱に取付する位置決め作業が容易になるという効果を奏する。
【００１４】
請求項４に記載の発明によれば、前記連結体の基部ブロックには、机天板の下面に止着具にて固定するための補助水平アーム部が一体的に形成されているものであるので、メインの水平アーム部だけで机天板を固定する場合よりも、机天板と脚支柱との固定強度が大幅に向上するという効果を奏する。
【００１５】
請求項５に記載の発明によれば、前記側部支持部と脚支柱との間にスペーサ体を介挿させたものであるので、脚支柱に対する連結体の取付姿勢も一定にでき、また、側部支持部の下端側が大きく撓むことを防止して側部支持部の変形を免れることができるという効果を奏する。
【発明を実施するための最良の形態】
【００１６】
以下、本発明を実施するための最良の形態を、図面を参照しながら説明する。図１〜図９は第１実施形態を示し、図１は机の全体正面図、図２は机の１つの隅部を示す切欠き斜視図、図３は構成部品の分解斜視図、図４は第１実施形態の連結体の平面図、図５は図４のＶ−Ｖ線矢視図、図６は連結体の斜視図、図７は一部切欠き要部拡大側断面図、図８は図７の VIII −VIII線矢視拡大断面図、図９は図５のIX−IX線矢視拡大断面図、図１０はスペーサ体の斜視図、図１１は脚支柱の下端のアジャスタ取付片を示す斜視図、図１２は第２実施形態の構成部品の分解斜視図、図１３は第２実施形態の連結体、脚支柱等の分解斜視図、図１４は連結体の第２実施形態を示す正面図、図１５は連結体の平面図、図１６は連結体の一部切欠き下面図、図１７は図１６のXVII−XVII線矢視断面図、図１８連結体の取付部の側断面図、図１９は図１８のXIX −XIX 線矢視要部拡大側断面図、図２０は脚支柱と連結体の取付け状態を示す斜視図である。
【００１７】
第１実施形態における机１は、平面視略矩形状の机天板２と、机天板２の下面の４隅部分を支持する脚支柱３と、机天板２を支持固定するための枠体５と、この４本の脚支柱３の上端に固定され、且つ机天板２及び枠体を連結するための連結体４とを備える。枠体５は断面が実質上矩形の中空状の横梁５ａからなる。実施形態では机天板２は木製である。
【００１８】
脚支柱３はアルミ押出材であり、各脚支柱３の外周は、平断面において１つの丸角部３ａと２つの鋭角部３ｂ，３ｂとを有する実質上三角形に形成されている。また、上記２つの鋭角部３ｂ，３ｂの間を連結する仕切板部３１を介して中空状の筒部３２と、縦長の凹溝３３とに区画されている。そして、筒部３２における丸角部３ａ側と仕切板部３１側とには、平面視においてΩ状のビスポケット３４，３５（図８参照、請求項にいう係合突条部に相当する）が一体的に形成されている。
【００１９】
連結体４は、図３〜図７に示すように、アルミ製等のダイキャストの一体成形されたものである。連結体４の基部ブロック４１は図４に示すように、平面視で実質上５角形に形成された底板４１ａに複数のリブ４１ｂが起立して補強されている。
【００２０】
基部ブロック４１には、脚支柱３の平面形状と実質的に同一形状（三角形）の上部支持部４２と、脚支柱３における上記鋭角部３ｂ，３ｂに当接し、且つ一部が凹溝３３に嵌まる側部支持部４３とが一体的に形成されている。そして、上部支持部４２の下面は脚支柱３の上端面（平面）にきっちりと当接できるように形成され、且つ上部支持部４２の下面には、脚支柱３における筒部３２の上端部に上方から嵌入できる位置決めブロック４４が突出形成されている。さらに、上部支持部４２には、脚支柱３における上記各ビスポケット３４，３５にネジ止め固定するための止着具としての六角孔付き連結用のボルト４５、ビス４６とが上方から挿通できる取付孔４５ａ，４６ａが穿設されている（図４〜図７参照）。
【００２１】
上部支持部４２の一部（脚支柱３における丸角部３ａ側）が基部ブロック４１に対して段落ちしており、従って、その部分が机天板２の角部の下面に対して隙間ができることになる（図１及び図２参照）。
【００２２】
他方、基部ブロック４１には、平面視で上記上部支持部４２と反対側にて互いに９０度の向きを変えて開口するような上向き開放溝状の一対の横梁支持部（水平アーム部）４７が形成されている。そして、各水平アーム部４７には、断面中空矩形状の各横梁５ａの端部を上から嵌め入れる。なお、各水平アーム部４７の底から上向きに突出形成するボス部４８と同じ断面形状の丸孔（図示せず）が各横梁５ａの下面側に穿設されており、各横梁５ａをその上面側からビス４９にてボス部４８にネジ止め固定する。
【００２３】
基部ブロック４１には、さらに、机天板２の下面に開口する埋込みナット（鬼目ナット）５９に対してビス５１を締着するための複数のビス取付部５１ａ〜５１ｄが形成されている（図４、図６及び図７参照）。
【００２４】
側部支持部４３は、脚支柱３における上記鋭角部３ｂ，３ｂに当接する広幅部４３ａと、凹溝３３に嵌まる狭幅部４３ｂとが一体的に形成されている。そして、広幅部４３ａの下端側には、止着具としての横ボルト５２の軸部が挿通できる切り溝５３が形成されている（図５、図７及び図９参照）。
【００２５】
そして、金型（鋳型）にアルミ溶融金属を鋳込んで後、温度の下がった連結体４を金型（鋳型）から外するために、連結体４の外形には抜きテーパーが形成されている。側部支持部４３においても、広幅部４３ａ及び狭幅部４３ｂの厚さが下端に行くに従って脚支柱３の側面（鋭角部３ｂ，３ｂの片面）から離れるように傾斜している。
【００２６】
側部支持部４３を脚支柱３の側面に沿わせて、横ボルト５２にて脚支柱３に締着固定するに際して、脚支柱３の筒部３２内にその縦軸線方向に沿わせて平板状の補強部材５４を挿入する。筒部３２内で縦長の補強部材５４の配置位置がビスポケット３５との間でずれないように、筒部３２内に一対の縦長の突条部３２ａが形成されている（図８参照）。
【００２７】
また、図９及び図１０に示すように、合成樹脂材からなるスペーサ体５５を、凹溝３３内に入れる。このスペーサ体５５の平板部５５ａは上側の厚さが薄く下に行くに従って厚くなるように形成されて、広幅部４３ａの内面に沿い、脚支柱３に連結体４を装着したときの横梁支持部（水平アーム部）４７の姿勢が水平となるように規制される。また、平板部５５ａの一部には、切り溝５３に摺動自在に嵌まる案内ブロック５５ｂと、横ボルト５２のための挿通孔５５ｃとが形成されている。
【００２８】
なお、脚支柱３の下端には、これと同じ断面形状の下カバー部材５６（合成樹脂材でも可能）が装着され、これにアジャスタボルト５７が高さ調節可能に取付けられる（図１１参照）。
【００２９】
上記の構成において、予め、脚支柱３の下端に下カバー部材５６及びアジャスタボルト５７を装着した後、脚支柱３の筒部３１内に補強部材５４を上から挿入する。次いで、連結体４の上部支持部４２を脚支柱３の上端から被せ、縦方向の止着具であるボルト４５及びビス４６を取付孔４５ａ，４５ｂから差し込み、ボルト４５及びビス４６をビスポケット３４，３５に締着固定する。他方、側部支持部４３における広幅部４３ａの内面を、一列に並んでいる鋭角部３ｂ，３ｂに当接させ、広幅部４３ａの下方から凹溝３３内に挿入したスペーサ体５５の案内ブロック５５ｂを切り溝５３内に挿入する。次いで、横方向の止着具である六角孔付き連結用の横ボルト５２をスペーサ体５５の挿通孔５５ｃ及び予め凹溝３３（仕切板部３１）の所定高さ位置に穿設されている孔５８（図８参照）を介して補強部材５４のネジ孔に締着させるのである。
【００３０】
このようにして、脚支柱３の上端部に連結体４を縦横の複数の止着具（ボルト４５、ビス４６、横ボルト５２）を介して固定することにより、従来の取付構造に比べて、固定（取付）強度が大幅に向上する。また、スペーサ体５５を脚支柱３の側面（仕切板部３１）と側部支持部４３との間に介挿することで、脚支柱３に対する連結体４の取付姿勢も一定にでき、また、側部支持部４３の下端側が脚支柱３の側面の凹溝３３内に大きく撓むことを防止して側部支持部４３の変形を免れることができるという効果を奏する。
【００３１】
次いで、連結体４における一対の水平アーム部４７に、横梁５ａを被せた後、ビス４９止めし、さらに、横梁５ａの下面側及び連結体４における基部ブロック４１の下面側から机天板２にそれぞれビス止めすれば、机天板２は強固に固定されることになる。
【００３２】
図１２〜図２０は第２実施形態を示し、この実施形態では、左右一対の脚支柱１０の下端には、それぞれ横長の安定足１１が取付られ、各脚支柱１０の上端に連結体１２を止着具を介して固定する。また、連結体１２同士を横梁１３を介して連結し、連結体１２及び横梁１３と机天板２の下面とをビスにて固定するものである。各脚支柱１０はアルミ押出材であり、連結体１２及び安定足１１はアルミ製のダイカストである。
【００３３】
本実施形態における脚支柱１０は、図１９に示すように、水平断面の外形形状が実質上台形であり、長辺の左右両側に丸角部１０ａが形成され、短辺の両側に一対の鈍角部１０ｂが形成されている。そして、一対の鈍角部１０ｂの間に凹溝１４が形成されるように、仕切板部１５を設ける。また、第１仕切板部１５の両端と長辺部とを連結するように、一対の第２仕切板部１６を設ける。これにより、一対の第２仕切板部１６の間に、平面視矩形状の筒部１７ａが形成され、各第２仕切板部１６と各丸角部１０ａとの間には平面視略三角形状の筒部１７ｂが形成される。そして、各筒部１７ｂには、各第２仕切板部１６側と各丸角部１０ａ側とにそれぞれ平面視においてΩ状のビスポケット３４′、３５′（図１９参照、請求項にいう係合突条部に相当する）が一体的に形成されている。
【００３４】
連結体１２は、図１２〜図１７に示すように、アルミ製等のダイキャストの一体成形されたものである。連結体１２の基部ブロック１８は、図１３、図１４に示すように、平面視で実質上５角形に形成され、複数の垂直に延びるリブ１８ｂにて補強されている。
【００３５】
基部ブロック１８には、脚支柱１０の平面形状と実質的に同一形状（台形）の上部支持部１９と、脚支柱１０における上記鈍角部１０ｂ，１０ｂに当接し、且つ一部が凹溝１４に嵌まる側部支持部２０と、断面中空矩形状の横梁１３の端部に嵌入して支持する水平アーム部２１と、この水平アーム部２１に対して９０度方向に延びる補助水平アーム部２２とが一体的に形成されている。水平アーム部２１及び各補助水平アーム部２２にも複数の垂直に延びるリブが設けられて重量軽減を図りながら強度を向上させるように形成されている。
【００３６】
上部支持部１９の下面は脚支柱１０の上端面（平面）にきっちりと当接できるように形成され、且つ上部支持部１９の下面には、脚支柱１０における２つの筒部１７ｂの上端部に上方からそれぞれ嵌入できる位置決めブロック２３が突出形成されている（図１６参照）。さらに、上部支持部１９には、脚支柱１０における上記各ビスポケット３４′、３５′にネジ止め固定するための止着具としての六角孔付き連結ボルト４５′、ビス４６′とが上方から挿通できる取付孔４５ａ′，４６ａ′（合計４個）が穿設されている（図１３、図１５、図１６及び図２０参照）。
【００３７】
上部支持部１９の一部（脚支柱１０における丸角部１０ａ側）が基部ブロック１８に対して段落ちしており、従って、その部分が机天板２の角部の下面に対して隙間ができることになる（図１８参照）。
【００３８】
他方、基部ブロック１８から突出する水平アーム部２１は断面中空矩形状であり、この水平アーム部２１の先端から断面中空矩形状の横梁１３の端部を水平方向に嵌め入れ、各横梁１３をその上面側からビス４９′にてボス部２１ａにネジ止め固定する（図１７及び図１８参照）。
【００３９】
側部支持部２０は、脚支柱１０における上記鈍角部１０ｂ，１０ｂに当接する広幅部２０ａと、凹溝１４に嵌まる狭幅部２０ｂとが一体的に形成されたものである。そして、広幅部２０ａの下端側には、止着具としての横ボルト５２′の軸部が挿通できる切り溝５３′が形成されている（図１４、図１７及び図１９参照）。
【００４０】
そして、第１実施形態と同様に、金型（鋳型）にアルミ溶融金属を鋳込んで後、温度の下がった連結体１２を金型（鋳型）から外するために、連結体１２の外形には抜きテーパーが形成されている。側部支持部２０においても、広幅部２０ａ及び狭幅部２０ｂの厚さが下端に行くに従って脚支柱１０の側面（鈍角部１０ｂ，１０ｂの片面）から離れるように傾斜している。
【００４１】
そして、第１実施形態と同様の形状のスペーサ体５５（図１０参照）を、凹溝１４内に入れる。このスペーサ体５５の平板部５５ａは上側の厚さが薄く下に行くに従って厚くなるように形成されて、広幅部４３ａの内面に沿い、脚支柱１０に連結体１２を装着したときの水平アーム部２１の姿勢が水平となるように規制される。また、平板部５５ａの一部には、切り溝５３′に摺動自在に嵌まる案内ブロック５５ｂと、横ボルト５２′のための挿通孔５５ｃとが形成されている。
【００４２】
側部支持部２０を脚支柱１０の側面に沿わせて、横ボルト５２′にて脚支柱１０に締着固定するに際して、脚支柱１０の中央の筒部１７ａ内にその縦軸線方向に沿わせて、筒部１７ａの断面と同じ断面形状の補強部材２４を挿入する（図１９参照）。
【００４３】
なお、図１３に示すように、安定足１１にも、上部支持部１９における位置決めブロック２３と同じ形状の一対の位置決めブロック２５を設けて、これを脚支柱１０の下端での筒部１７ｂに嵌入することで、安定足１１と脚支柱１０とをしっかり位置決めできる。そして、安定足１１の下面側から止着具としてのボルト２６を脚支柱１０のビスポケット３４′、３５′に締着すればよい。アジャスタボルト２７は安定足１１に対する高さ調節及び傾斜調節手段である。
【００４４】
上記の構成において、予め、脚支柱１０の下端に安定足１１及びアジャスタボルト２７を装着した後、脚支柱１０の筒部１７ａ内に補強部材２４を上から挿入する。次いで、連結体１２の上部支持部１９を脚支柱１０の上端から被せ、縦方向の止着具であるボルト４５′及びビス４６′を取付孔４５ａ′，４５ｂ′から差し込み、ボルト４５′及びビス４６′をビスポケット３４′、３５′に締着固定する。他方、側部支持部２０における広幅部２０ａの内面を、一列に並んでいる鈍角部１０ｂ，１０ｂの片面に当接させ、広幅部２０ａの下方から凹溝１４内に挿入したスペーサ体５５の案内ブロック５５ｂを切り溝５３′内に挿入する。次いで、横方向の止着具である六角孔付き連結用の横ボルト５２′をスペーサ体５５の挿通孔５５ｃ及び予め凹溝１４（第１仕切板部１５）の所定高さ位置に穿設されている孔（図１９参照）を介して補強部材２４のネジ孔に締着させるのである。
【００４５】
このようにして、脚支柱１０の上端部に連結体１２を縦横の複数の止着具（ボルト４５′、ビス４６′、横ボルト５２′）を介して固定することにより、従来の取付構造に比べて、固定（取付）強度が大幅に向上する。また、スペーサ体５５を脚支柱１０の側面（第１仕切板部１５）と側部支持部２０との間に介挿することで、脚支柱１０に対する連結体１２の取付姿勢も一定にでき、また、側部支持部２０の下端側が脚支柱１０の側面の凹溝１４内に大きく撓むことを防止して側部支持部２０の変形を免れることができるという効果を奏する。
【００４６】
なお、補助水平アーム部２２に設けられた複数箇所の取付孔２８ａ，２８ｂ及び横梁１３の中途部に直交して延びる補助アーム２９に設けられた複数箇所の取付孔２９ａの下面側から、ビス３０にて机天板２をすれば良い（図１２、図１３参照）。
【００４７】
なお、脚支柱３（１０）と机天板２の下面との間に前記連結体４（１２）における上部支持部４２（１９）の段差による大きな隙間が形成できるので、その隙間を利用して、机上への部品の取付けスタンド等の基部を固定する等の用途が発生する。
【図面の簡単な説明】
【００４８】
【図１】本発明の第１実施形態による事務用机の正面図である。
【図２】机の角部を見る一部切欠き拡大斜視図である。
【図３】机の構成部品の斜視図である。
【図４】連結体の第１実施形態を示す平面図である。
【図５】図４のＶ−Ｖ線矢視側面図である。
【図６】連結体の斜視図である。
【図７】一部切欠き要部拡大側断面図である。
【図８】図７の VIII −VIII線矢視断面図である。
【図９】図５のIX−IX線矢視拡大側断面図である。
【図１０】スペーサ体の斜視図である。
【図１１】下部カバー部材の斜視図である。
【図１２】本発明の第２実施形態による机の構成部品の斜視図である。
【図１３】第２実施形態の連結体と脚支柱と安定足とを示す分解斜視図である。
【図１４】第２実施形態の連結体の平面図である。
【図１５】連結体の正面図である。
【図１６】連結体の一部切欠き下面図である。
【図１７】図１６のXVII−XVII線矢視断面図である。
【図１８】連結部の一部切欠き側断面図である。
【図１９】図１８のXIX-XIX 線矢視拡大断面図である。
【図２０】連結部の一部切欠き斜視図である。
【符号の説明】
【００４９】
２  机天板
３，１０  脚支柱
４，１２  連結体
１１  安定足
５ａ，１３  横梁
１４，３３  凹溝
１５  第１仕切板
１７ａ，１７ｂ，３２  筒部
１８，４１  基部ブロック
１９，４２  上部支持部
２０，４３  側部支持部
２１，４７  水平アーム部
２２  補助水平アーム部
３４，３５，３４′，３５′  係合突条部としてのビスポケット
４５，４６，５２，４５′，４６′，５２′止着具としてのボルト及びビス
５５    スペーサ体
【図１】
2007089872.tif 000003
【図２】
2007089872.tif 000004
【図３】
2007089872.tif 000005
【図４】
2007089872.tif 000006
【図５】
2007089872.tif 000007
【図６】
2007089872.tif 000008
【図７】
2007089872.tif 000009
【図８】
2007089872.tif 000010
【図９】
2007089872.tif 000011
【図１０】
2007089872.tif 000012
【図１１】
2007089872.tif 000013
【図１２】
2007089872.tif 000014
【図１３】
2007089872.tif 000015
【図１４】
2007089872.tif 000016
【図１５】
2007089872.tif 000017
【図１６】
2007089872.tif 000018
【図１７】
2007089872.tif 000019
【図１８】
2007089872.tif 000020
【図１９】
2007089872.tif 000021
【図２０】
2007089872.tif 000022